(57)【要約】      （修正有）【課題】アンライセンスキャリアのための無線リンク制御（ＲＬＣ；Radio Link Control）エンティティ（entity）を構成するための方法及び装置を提供する。【解決手段】ステップＳ１００で、ＵＥは、第１セルを制御するｅＮＢから構成を受信する。ステップＳ１１０で、ＵＥは、第１セルのみのための第１タイプ（類型）の無線ベアラ／論理チャネルを構成する。ステップＳ１２０で、ＵＥは、第１セル及び第２セルの両方に対する第２タイプの無線ベアラ／論理チャネルを構成する。第１セルはライセンスキャリア上でリソースを使用するセルであり、第２セルはアンライセンスキャリア上でリソースを使用するセルでありうる。【選択図】図１１
2019062567.tif 000002
【特許請求の範囲】
【請求項１】
無線通信システムにおける端末（ＵＥ）による無線ベアラを構成する方法であって、
第１セルを制御する第１の発展型ノードＢ（ｅＮＢ）から構成を受信し、
前記第１セルのみのための第１タイプの無線ベアラを構成し、
前記第１セル及び第２セルのための第２タイプの無線ベアラを構成する、ことを有する方法。
【請求項２】
前記第１セルは、ライセンスキャリア上でリソースを使用するセルである、請求項１に記載の方法。
【請求項３】
前記第２セルは、アンライセンスキャリア上でリソースを使用するセルである、請求項１に記載の方法。
【請求項４】
前記第１タイプの無線ベアラは、遅延検出トラフィックを搬送する、請求項１に記載の方法。
【請求項５】
前記第２タイプの無線ベアラは、遅延不検出トラフィックを搬送する、請求項１に記載の方法。
【請求項６】
シグナリング無線ベアラは、前記第１タイプの無線ベアラのみに属する、請求項１に記載の方法。
【請求項７】
前記第１タイプの無線ベアラでの第１論理チャネルと前記第２タイプの無線ベアラでの第２論理チャネルとは、異なる論理チャネルグループに属する、請求項１に記載の方法。
【請求項８】
前記第１セルは、ＰＣｅｌｌ又はＰＳＣｅｌｌである、請求項１に記載の方法。
【請求項９】
前記第２セルは、前記ｅＮＢにより制御される、請求項１に記載の方法。
【請求項１０】
前記第２セルは、前記ｅＮＢと異なる第２のｅＮＢにより制御される、請求項１に記載の方法。
【請求項１１】
無線通信システムにおける端末（ＵＥ）による無線リンク制御（ＲＬＣ）エンティティを構成するための方法であって、
ライセンスキャリアに関するセルと関連したメディアアクセス制御（ＭＡＣ）エンティティのみのための第１のＲＬＣエンティティを構成し、
前記ライセンスキャリアに関するセル及びアンライセンスキャリアに関するセルと関連したＭＡＣエンティティのための第２のＲＬＣエンティティを構成することを有する方法。
【請求項１２】
前記第１のＲＬＣエンティティは、前記ライセンスキャリアに関するセルのみのための第１タイプの無線ベアラに対応する、請求項１１に記載の方法。
【請求項１３】
前記第１タイプの無線ベアラは、遅延検出トラフィックを搬送する、請求項１２に記載の方法。
【請求項１４】
前記第２のＲＬＣエンティティは、前記ライセンスキャリアに関するセル及び前記アンライセンスキャリアに関するセルのための第２タイプの無線ベアラに対応する、請求項１１に記載の方法。
【請求項１５】
前記第２タイプの無線ベアラは、遅延不検出トラフィックを搬送する、請求項１４に記載の方法。
【発明の詳細な説明】
【技術分野】
【０００１】
本発明は、無線通信に関し、より詳しくは、無線通信システムにおけるアンライセンスキャリア（unlicensed carrier）のための無線ベアラタイプ（radio bearer types）を構成するための方法及び装置に関する。
【背景技術】
【０００２】
３ＧＰＰ ＬＴＥは、高速パケット通信を可能にするための技術である。ＬＴＥの目標であるユーザ及び事業者のコスト節減、サービス品質の向上、カバレッジ拡張及びシステム容量の増大のために多くの方式が提案された。３ＧＰＰ ＬＴＥは、上位レベルの必要条件として、ビット当たりのコスト節減、サービス可用性（有用性）（availability）の向上、周波数バンドの柔軟な使用、簡単な構造、オープンインターフェース及び端末の適切な電力消費を要求する。
【０００３】
世界の多くの地域でＬＴＥが早く採択されることによって、無線広帯域データに対する需要が増加しており、ＬＴＥは、このような需要を満たす（充足させる）（meet）のに非常に成功したプラットフォームであることが表れている。同時に、アンライセンススペクトル（スペクトラム、周波数帯）（spectrum）はセルラオペレータ（運営者）（operators）がサービス提供を強化する補完的なツールとして考慮された。アンライセンススペクトルはライセンス領域の品質に決して一致することができない。しかしながら、ライセンス配置（licensed deployments）に対する補完としてアンライセンススペクトルの効率の良い使用を可能にする、このような解決法（ソリューション）（solutions）は、３ＧＰＰオペレータに、そして究極的には３ＧＰＰ業界の全般に大きな価値をもたらすことができる潜在能力（potential）を有している。私達の社会の無線通信のためのアンライセンススペクトルにおける他の技術の広範囲な普及及び使用を考慮すれば（Given the widespread deployment and usage of other technologies in unlicensed spectrum for wireless communications in our society）、ＬＴＥが既存及び今後のアンライセンススペクトルの使用と共存しなければならないことが予測される。ＩＭＴ（International Mobile Telecommunications）技術により独占的に使用することが許可された既存及び新規スペクトルは、高品質ネットワーク機器（装備）（equipment）及び装置（devices）の慎重なプランニング（planning）及び配置を通じてシームレス（切れない）カバレッジ（seamless coverage）を提供し、最上のスペクトル効率を達成し、セルラネットワークの最高の信頼性を保証するための基本事項（fundamental）が維持される。
【０００４】
ＬＴＥプラットフォームをアンライセンススペクトルで補完することは、事業者及びベンダが無線及びコアネットワークのＬＴＥ／ＥＰＣ（Evolved Packet Core）ハードウェアに対する既存の投資又は計画投資を活用できるようにするので、これらを考慮すると（under these considerations）可能な選択である。ライセンス補助アクセス（ＬＡＡ；Licensed-Assisted Access）は、ＬＴＥに統合されたセカンダリコンポーネントキャリア（secondary component carrier）と見なされる。
【０００５】
アンライセンススペクトル／キャリア（搬送波）（carrier）のための無線ベアラを構成するための方法が必要とされ得る。
【発明の概要】
【発明が解決しようとする課題】
【０００６】
本発明は無線通信システムにおけるアンライセンスキャリア（unlicensed carrier）のための無線ベアラタイプを構成するための方法及び装置を提供する。本発明は、アンライセンスキャリアのための無線リンク制御（ＲＬＣ；Radio Link Control）エンティティ（entity）を構成するための方法及び装置を提供する。
【課題を解決するための手段】
【０００７】
一態様において、無線通信システムにおける端末（ＵＥ；User Equipment）による無線ベアラを構成する方法が提供される。この方法は、第１セルを制御する第１の発展型ノードＢ（ｅＮＢ；evolved NodeB）から構成を受信し、第１セルのみのための第１タイプの無線ベアラを構成し、第１セル及び第２セルのための第２タイプの無線ベアラを構成する、ことを有する。
【０００８】
他の態様において、無線通信システムにおける端末（ＵＥ；User Equipment）による無線リンク制御（ＲＬＣ；Radio Link Control）エンティティを構成するための方法が提供される。この方法は、ライセンスキャリア（licensed carrier）に関するセルと関連したメディアアクセス制御（ＭＡＣ；Media Access Control）エンティティのみのための第１のＲＬＣエンティティを構成し、ライセンスキャリアに関するセル及びアンライセンスキャリアに関するセルと関連したＭＡＣエンティティのための第２のＲＬＣエンティティを構成することを有する。
【発明の効果】
【０００９】
アンライセンスキャリアのための無線ベアラ／論理チャネルが効率良く構成できる。
【図面の簡単な説明】
【００１０】
【図１】ＬＴＥシステムの構造を示す図である。
【図２】一般的なＥ−ＵＴＲＡＮ及びＥＰＣの構造のブロック図である。
【図３】ＬＴＥシステムのユーザプレーンプロトコルスタックのブロック図である。
【図４】ＬＴＥシステムの制御プレーンプロトコルスタックのブロック図である。
【図５】物理チャネル構造の一例を示す図である。
【図６】ＬＡＡに対する配置シナリオの例を示す図である。
【図７】ＬＡＡに対する配置シナリオの他の例を示す図である。
【図８】ＬＡＡに対する配置シナリオの他の例を示す図である。
【図９】ＬＡＡに対する配置シナリオの他の例を示す図である。
【図１０】Ｌ−セル及びＵ−セルの配置のためのシナリオの例を示す図である。
【図１１】本発明の一実施形態によって無線ベアラを構成する方法の一例を示す図である。
【図１２】本発明の一実施形態によってＲＬＣエンティティを構成する方法の一例を示す図である。
【図１３】本発明の実施形態が具現される無線通信システムを示す図である。
【発明を実施するための形態】
【００１１】
以下の技術は、ＣＤＭＡ（Code Division Multiple Access）、ＦＤＭＡ（frequency division multiple access）、ＴＤＭＡ（Time Division Multiple Access）、ＯＦＤＭＡ（Orthogonal Frequency Division Multiple Access）、ＳＣ−ＦＤＭＡ（Single Carrier Frequency Division Multiple Access）などの多様な無線通信システムにおいて使われることができる。ＣＤＭＡは、ＵＴＲＡ（Universal Terrestrial Radio Access）やＣＤＭＡ２０００などの無線技術で具現されることができる。ＴＤＭＡは、ＧＳＭ（登録商標）（global system for mobile communications）／ＧＰＲＳ（General Packet Radio Service）／ＥＤＧＥ（enhanced data rates for GSM（登録商標） evolution）などの無線技術で具現されることができる。ＯＦＤＭＡは、ＩＥＥＥ（Institute of Electrical and Electronics Engineers）８０２.１１（Ｗｉ−Ｆｉ）、ＩＥＥＥ８０２.１６（ＷｉＭＡＸ）、ＩＥＥＥ８０２.２０、Ｅ−ＵＴＲＡ（evolved UTRA）などの無線技術で具現されることができる。ＩＥＥＥ８０２．１６ｍは、ＩＥＥＥ８０２．１６ｅの発展であり、ＩＥＥＥ８０２．１６基づくシステムとの後方互換性（backward compatibility）を提供する。ＵＴＲＡは、ＵＭＴＳ（Universal Mobile Telecommunications System）の一部である。３ＧＰＰ（3rd Generation Partnership Project）ＬＴＥ（Long Term Evolution）は、Ｅ−ＵＴＲＡ（evolved- UMTS terrestrial radio access）を使用するＥ−ＵＭＴＳ（evolved UMTS）の一部であり、ダウンリンクでＯＦＤＭＡを採用し、アップリンクでＳＣ−ＦＤＭＡを採用する。ＬＴＥ−Ａ（Advanced）は、３ＧＰＰ ＬＴＥの発展型である。
【００１２】
説明を明確にするために、ＬＴＥ−Ａを中心に記述するが、本発明の技術的思想がこれに制限されるものではない。
【００１３】
図１は、ＬＴＥシステムの構造を示す。通信ネットワークは、ＩＭＳ及びパケットデータを介したインターネット電話（Voice over internet protocol：ＶｏＩＰ）などの多様な通信サービスを提供するために広く設置される。
【００１４】
図１を参照すると、ＬＴＥシステム構造は、一つ又は複数の端末（ＵＥ）１０、Ｅ−ＵＴＲＡＮ（Evolved-UMTS Terrestrial Radio Access Network）及びＥＰＣ（Evolved Packet Core）を含む。端末１０は、ユーザにより携行される（動く）（carried）通信装置である。端末１０は、固定されてもよいし、移動可能で（mobile）もよく、ＭＳ（Mobile Station）、ＵＴ（User Terminal）、ＳＳ（Subscriber Station）、無線機器（wireless device）等、他の用語で呼ばれることもある。
【００１５】
Ｅ−ＵＴＲＡＮは一つ又は複数のｅＮＢ（evolved node-B）２０を含み、一つのセルに複数のＵＥが存在することができる。ｅＮＢ２０は、制御プレーン（control plane）及びユーザプレーン（user plane）の終端点をＵＥに提供する。ｅＮＢ２０は、一般にＵＥ１０と通信する固定された点（fixed station）をいい、ＢＳ（Base Station）、アクセスポイント（access point）など、他の用語で呼ばれることがある。一つのｅＮＢ２０はセル毎に配置できる。
【００１６】
以下、ＤＬはｅＮＢ２０からＵＥ１０への通信を意味し、ＵＬはＵＥ１０からｅＮＢ２０への通信を意味する。ＤＬにおいて、送信器はｅＮＢ２０の一部であり、受信器はＵＥ１０の一部でありうる。ＵＬにおいて、送信器はＵＥ１０の一部であり、受信器はｅＮＢ２０の一部でありうる。
【００１７】
ＥＰＣは、ＭＭＥ（Mobility Management Entity）とＳ−ＧＷ（System Architecture Evolution（SAE） GateWay）とを含む。ＭＭＥ／Ｓ−ＧＷ３０は、ネットワークの終端に位置し、外部ネットワークと接続できる。明確性のためにＭＭＥ／Ｓ−ＧＷ３０は“ゲートウェイ”と単純に表現し、これはＭＭＥ及びＳ−ＧＷの両方を含むことができる。
【００１８】
ＭＭＥは、ｅＮＢ２０へのＮＡＳ（Non-Access Stratum）シグナリング、ＮＡＳシグナリングセキュリティ、ＡＳ（Access Stratum）セキュリティ制御、３ＧＰＰアクセスネットワーク間の移動性（モビリティ）（mobility）のためのｉｎｔｅｒ ＣＮ（ＣＮ間）ノードシグナリング（inter core network (CN) node signaling）、アイドルモード端末到達可能性（reachability）（ページング再送信の制御及び実行を含む）、追跡領域（tracking area）リスト管理（アイドルモード及び活性化モードであるＵＥのため）、Ｐ−ＧＷ（PDN（Packet Data Network） GateWay）及びＳ−ＧＷの選択、ＭＭＥ変更と共にハンドオーバのためのＭＭＥ選択、２Ｇ又は３Ｇ ３ＧＰＰアクセスネットワークへのハンドオーバのためのＳＧＳＮ（Serving GPRS Support Node）選択、ローミング、認証、専用ベアラ設定を含んだベアラ管理機能、ＰＷＳ（Public Warning System：地震／津波警報システム（ＥＴＷＳ）、及び商用モバイル警報システム（ＣＭＡＳ；Commercial Mobile Alert System）を含む）メッセージ送信（転送）（transmission）のサポートなどの多様な機能を提供する。Ｓ−ＧＷホストは、ユーザ別ベースのパケットフィルタリング（per-user based packet filtering）（例えば、ディープパケットインスペクション（deep packet inspection）を通じて）、ローフルインターセプション（lawful interception）、端末ＩＰ（Internet Protocol）アドレス割当、ＤＬにおけるトランスポート（転送）レベルパケットマーキング（transport level packet marking）、ＵＬ／ＤＬサービスレベル課金、ゲーティング及びレート強制（rate enforcement）、ＡＰＮ−ＡＭＢＲ（Access Point Name Aggregate Maximum Bit Rate）に基づいたＤＬレート強制の各種の機能を提供する。
【００１９】
ユーザトラフィック送信（転送）（transmitting）又は制御トラフィック送信のためのインターフェースが使用できる。ＵＥ１０及びｅＮＢ２０は、Ｕｕインターフェースにより接続される。ｅＮＢ２０は、Ｘ２インターフェースにより相互間接続される。隣り合うｅＮＢ２０は、Ｘ２インターフェースによるメッシュネットワーク構造を有することができる。複数のノードは、ｅＮＢ２０とゲートウェイ３０との間でＳ１インターフェースを介して接続できる。
【００２０】
図２は、一般的なＥ−ＵＴＲＡＮ及びＥＰＣの構造のブロック図である。図２を参照すると、ｅＮＢ２０は、ゲートウェイ３０に対する選択、ＲＲＣ（Radio Resource Control）活性化（activation）の間のゲートウェイ３０へのルーティング（routing）、ページングメッセージのスケジューリング及び送信、ＢＣＨ（Broadcast CHannel）情報のスケジューリング及び送信、ＵＬ及びＤＬにおけるＵＥ１０へのリソースの動的割当、ｅＮＢ測定の設定（configuration）及び提供（provisioning）、無線ベアラ制御、ＲＡＣ（Radio Admission Control）及びＬＴＥ活性状態における接続移動性制御（connection mobility control）機能を実行することができる。前述したように、ゲイウェイ３０は、ＥＰＣでページング開始、ＬＴＥアイドル状態管理、ユーザプレーンの暗号化、ＳＡＥベアラ制御、並びにＮＡＳシグナリングの暗号化及び完全性保護（integrity protection）などの機能を実行することができる。
【００２１】
図３は、ＬＴＥシステムのユーザプレーンプロトコルスタックのブロック図である。図４は、ＬＴＥシステムの制御プレーンプロトコルスタックのブロック図である。ＵＥとＥ−ＵＴＲＡＮとの間の無線インターフェースプロトコルの階層は、通信システムで広く知られたＯＳＩ（Open System Interconnection）モデルの下位３層に基づいて、Ｌ１（第１層）、Ｌ２（第２層）、及びＬ３（第３層）に分類される（classified）。
【００２２】
物理層（ＰＨＹ；PHysical Layer）はＬ１に属する。物理層は、物理チャネルを介して上位層に情報転送（transfer）サービスを提供する。物理層は、上位層であるＭＡＣ（Media Access Control）層とトランスポート（転送）チャネル（transport channel）を介して接続される。物理チャネルは、トランスポートチャネルにマッピングされる。トランスポートチャネルを介してＭＡＣ層と物理層との間でデータが転送される。互いに異なる物理層間、即ち送信器の物理層と受信器の物理層との間で、データは物理チャネルを介して転送される。
【００２３】
ＭＡＣ層、ＲＬＣ（Radio Link Control）層、及びＰＤＣＰ（Packet Data Convergence Protocol）層はＬ２に属する。ＭＡＣ層は、論理チャネル（logical channel）を介して上位層であるＲＬＣ層にサービスを提供する。ＭＡＣ層は、論理チャネル上のデータ転送サービスを提供する。ＲＬＣ層は、信頼性のあるデータ送信をサポートする。一方、ＲＬＣ層の機能はＭＡＣ層の内部の機能ブロックで具現されることができ、この際、ＲＬＣ層は存在しないこともある。ＰＤＣＰ層は、相対的に帯域幅の小さい無線インターフェース上で、ＩＰｖ４又はＩＰｖ６などのＩＰパケットを導入して、送信されるデータが効率良く送信されるように不要な制御情報を減らすヘッダ圧縮機能を提供する。
【００２４】
ＲＲＣ（Radio Resource Control）層は、Ｌ３に属する。Ｌ３の最下部（lowest portion）に位置するＲＲＣ層は、制御プレーンのみで定義される。ＲＲＣ層は、ＲＢ（Radio Bearer）などの設定（configuration）、再設定（re-configuration）、及び解放（release）と関連して、論理チャネル、トランスポートチャネル、及び物理チャネルなどの制御を担当する。ＲＢは、ＵＥとＥ−ＵＴＲＡＮとの間のデータ送信のためにＬ２により提供されるサービスを意味する。
【００２５】
図３を参照すると、ＲＬＣ及びＭＡＣ層（ネットワーク側におけるｅＮＢで終了）は、スケジューリング、ＡＲＱ及びＨＡＲＱなどの機能を実行することができる。ＰＤＣＰ層（ネットワーク側におけるｅＮＢで終了）は、ヘッダ圧縮、完全性保護、及び暗号化などのユーザプレーン機能を実行することができる。
【００２６】
図４を参照すると、ＲＬＣ／ＭＡＣ層（ネットワーク側におけるｅＮＢで終了）は、制御プレーンのために同一の機能を実行することができる。ＲＲＣ層（ネットワーク側におけるｅＮＢで終了）は、ブロードキャスト（放送）、ページング、ＲＲＣ接続管理、ＲＢ制御、モビリティ機能、及びＵＥ測定報告及び制御などの機能を実行することができる。ＮＡＳ制御プロトコル（ネットワーク側におけるゲートウェイのＭＭＥで終了）は、ＳＡＥベアラ管理、認証、ＬＴＥ＿ＩＤＬＥモビリティ管理、ＬＴＥ＿ＩＤＬＥにおけるページング開始、及びゲートウェイとＵＥとの間のシグナリングのためのセキュリティ制御などの機能を実行することができる。
【００２７】
図５は、物理チャネル構造の一例を示す。物理チャネルは、無線リソースを通じてＵＥの物理層とｅＮＢの物理層との間のシグナリング及びデータを転送する。物理チャネルは、時間領域における複数のサブフレームと周波数領域における複数の副搬送波とで構成される。１ｍｓである一つのサブフレームは、時間領域において複数のシンボルで構成される。該当サブフレームの特定シンボル、例えばサブフレームの第１のシンボルはＰＤＣＣＨのために使用できる。ＰＤＣＣＨは、ＰＲＢ（Physical Resource Block）及びＭＣＳ（Modulation and Coding Schemes）などのように動的に割り当てられたリソースを運ぶことができる。
【００２８】
ＤＬトランスポートチャネルは、システム情報を送信するために使われるＢＣＨ（Broadcast CHannel）、ＵＥをページングするために使われるＰＣＨ（Paging CHannel）、ユーザトラフィック又は制御信号を送信するために使われるＤＬ−ＳＣＨ（DownLink Shared CHannel）、マルチキャスト又はブロードキャストサービス送信のために使われるＭＣＨ（Multicast CHannel）などを含む。ＤＬ−ＳＣＨは、ＨＡＲＱ、変調、コーディング及び送信電力の変化による動的リンク適応及び動的／準静的リソース割当をサポートする。また、ＤＬ−ＳＣＨは、セル全体におけるブロードキャスト及びビームフォーミングの使用を可能にすることができる。
【００２９】
ＵＬトランスポートチャネルは、一般にセルへの初期アクセス（initial access）のために使われるＲＡＣＨ（Random Access CHannel）、ユーザトラフィック、又は制御信号を送信するために使われるＵＬ−ＳＣＨ（UpLink Shared CHannel）などを含む。ＵＬ−ＳＣＨは、ＨＡＲＱ及び送信電力及び潜在的な変調及びコーディングの変化による動的リンク適応（dynamic link adaptation）をサポートする。また、ＵＬ−ＳＣＨはビームフォーミングの使用を可能にすることができる。
【００３０】
論理チャネルは、送信される情報の種類によって、制御プレーンの情報転送（伝達）（transferring）のための制御チャネルとユーザプレーンの情報転送のためのトラフィックチャネルとに分類される。即ち、論理チャネルタイプの集合（セット）（set）は、ＭＡＣ層により提供される互いに異なるデータ転送サービスのために定義される。
【００３１】
制御チャネルは、制御プレーンの情報転送のみのために使われる。ＭＡＣ層により提供される制御チャネルは、ＢＣＣＨ（Broadcast Control CHannel）、ＰＣＣＨ（Paging Control CHannel）、ＣＣＣＨ（Common Control CHannel）、ＭＣＣＨ（Multicast Control CHannel）、及びＤＣＣＨ（Dedicated Control CHannel）を含む。ＢＣＣＨは、システム制御情報をブロードキャストするためのＤＬチャネルである。ＰＣＣＨは、ページング情報の転送のためのＤＬチャネルであり、ネットワークがＵＥのセル（単位）の位置を知らないときに（when the network does not know the location cell of a UE）使われる。ＣＣＣＨは、ネットワークとＲＲＣ接続を有しないとき、ＵＥにより使われる。ＭＣＣＨは、ネットワークからＵＥにＭＢＭＳ（Multimedia Broadcast Multicast Services）制御情報を送信するために使われる一対多のＤＬチャネルである。ＤＣＣＨは、ＵＥとネットワークとの間で専用制御情報送信のためにＲＲＣ接続を有するＵＥにより使われる一対一の両方向チャネルである。
【００３２】
トラフィックチャネルは、ユーザプレーンの情報転送のみのために使われる。ＭＡＣ層により提供されるトラフィックチャネルは、ＤＴＣＨ（Dedicated Traffic CHannel）及びＭＴＣＨ（Multicast Traffic CHannel）を含む。ＤＴＣＨは一対一のチャネルであって、一つのＵＥのユーザ情報の転送のために使われ、ＵＬ及びＤＬの両方に存在することができる。ＭＴＣＨは、ネットワークからＵＥにトラフィックデータを送信するための一対多のＤＬチャネルである。
【００３３】
論理チャネルとトランスポートチャネルとの間のＵＬ接続は、ＵＬ−ＳＣＨにマッピングできるＤＣＣＨ、ＵＬ−ＳＣＨにマッピングできるＤＴＣＨ、及びＵＬ−ＳＣＨにマッピングできるＣＣＣＨを含む。論理チャネルとトランスポートチャネルとの間のＤＬ接続は、ＢＣＨ又はＤＬ−ＳＣＨにマッピングできるＢＣＣＨ、ＰＣＨにマッピングできるＰＣＣＨ、ＤＬ−ＳＣＨにマッピングできるＤＣＣＨ、ＤＬ−ＳＣＨにマッピングできるＤＴＣＨ、ＭＣＨにマッピングできるＭＣＣＨ、及びＭＣＨにマッピングできるＭＴＣＨを含む。
【００３４】
ＲＲＣ状態（state）は、ＵＥのＲＲＣ層がＥ−ＵＴＲＡＮのＲＲＣ層と論理的に接続されているか否かを指示する。ＲＲＣ状態は、ＲＲＣ接続状態（ＲＲＣ＿ＣＯＮＮＥＣＴＥＤ）及びＲＲＣアイドル状態（ＲＲＣ＿ＩＤＬＥ）のように２種類に分けられる。ＲＲＣ＿ＩＤＬＥにおいて、ＵＥがＮＡＳにより設定されたＤＲＸ（Discontinuous Reception）を指定する間に、ＵＥは、システム情報及びページング情報のブロードキャストを受信することができる。そして、ＵＥは、追跡領域でＵＥを一意的に（uniquely）指定するＩＤ（IDentification）の割当を受けて、ＰＬＭＮ（Public Land Mobile Network）選択及びセル再選択を実行することができる。またＲＲＣ＿ＩＤＬＥでは、いかなるＲＲＣコンテキストもｅＮＢに記憶されない。
【００３５】
ＲＲＣ＿ＣＯＮＮＥＣＴＥＤにおいて、ＵＥは、Ｅ−ＵＴＲＡＮにおけるＥ−ＵＴＲＡＮ ＲＲＣ接続及びコンテキストを有し、ｅＮＢにデータを送信及び／又はｅＮＢからデータを受信することが可能である。また、ＵＥは、ｅＮＢにチャネル品質情報及びフィードバック情報を報告することができる。ＲＲＣ＿ＣＯＮＮＥＣＴＥＤで、Ｅ−ＵＴＲＡＮは、ＵＥが属するセルを知ることができる。したがって、ネットワークは、ＵＥにデータを送信及び／又はＵＥからデータを受信することができ、ネットワークは、ＵＥの移動性（ハンドオーバ及びＮＡＣＣ（Network Assisted Cell Change）によるＧＥＲＡＮ（GSM（登録商標） EDGE Radio Access Network）へのｉｎｔｅｒ−ＲＡＴ（Radio Access Technology）（ＲＡＴ間）セル変更指示（handover and inter-radio access technologies (RAT) cell change order to GSM EDGE radio access network (GERAN) with network assisted cell change (NACC)））を制御することができ、ネットワークは隣り合うセルのためにセル測定を実行することができる。
【００３６】
ＲＲＣ＿ＩＤＬＥにおいて、ＵＥはページングＤＲＸ周期を指定する。具体的には、ＵＥは、ＵＥ固有の（UE specific）ページングＤＲＸ周期毎の特定ページング機会（paging occasion）にページング信号をモニタリングする。ページング機会は、ページング信号が送信される間の時間区間である。ＵＥは、自体だけのページング機会を有している。ページングメッセージは、同一の追跡領域（ＴＡ；Tracking Area）に属する全てのセル上に送信される。ＵＥが一つのＴＡから他のＴＡに移動すれば、ＵＥは自体の位置をアップデートするためにネットワークにＴＡＵ（Tracking Area Update）メッセージを送信することができる。
【００３７】
キャリアアグリゲーション（ＣＡ：Carrier Aggregation）が説明される。これは、３ＧＰＰ ＴＳ ３６．３００ Ｖ１２．１．０（２０１４−０３）の５．５節及び７．５節を参照できる。ＣＡでは、最大１００ＭＨｚまでの広い送信帯域幅をサポートするために、２つ以上のコンポーネントキャリア（構成要素搬送波）（ＣＣｓ；component carriers）が集約される（aggregated）。ＵＥは、自体の能力によって一つ又は複数のＣＣを同時に受信又は送信することができる。ＣＡに関して単一タイミングアドバンス（ＴＡ；Timing Advance）能力を有するＵＥは、同一のＴＡを共有する複数のサービングセル（一つのタイミングアドバンスグループ（ＴＡＧ；Timing Advance Group）内にグループ化された複数のサービングセル）に対応する複数のＣＣを同時に受信及び／又は送信することができる。ＣＡに関して複数のＴＡ能力を有するＵＥは、相異なるＴＡを有する複数のサービングセル（複数のＴＡＧでグループ化された複数のサービングセル）に対応する複数のＣＣを同時に受信及び／又は送信することができる。Ｅ−ＵＴＲＡＮは、各ＴＡＧが少なくとも一つのサービングセルを含むように保証する。ＣＡが可能でないＵＥ（non-CA capable UE）は、唯一つのサービングセル（一つのＴＡＧでの一つのサービングセル）に対応する単一ＣＣを通じて受信し、単一ＣＣを通じて送信することができる。ＣＡは、周波数領域で各ＣＣが最大１１０個のリソースブロックに制限された連続（contiguous）及び非連続（non-contiguous）ＣＣ全てに対してサポートされる。
【００３８】
同一のｅＮＢから発生（originate）した相異なる数のＣＣを構成し、ＵＬ及びＤＬで、可能には（おそらく）異なる帯域幅（of possibly different bandwidths）を集約するようにＵＥを構成することが可能である。構成できるＤＬ ＣＣの数はＵＥのＤＬ集約能力に依存する。構成できるＵＬ ＣＣの数はＵＥのＵＬ集約能力に依存する。ＤＬ ＣＣより多いＵＬ ＣＣを有するＵＥを構成することは可能でない。典型的なＴＤＤ（Time Division Duplex）配置（deployments）において、ＵＬ及びＤＬでＣＣの数と各ＣＣの帯域幅とは同一である。構成できるＴＡＧの数はＵＥのＴＡＧ能力に依存する。同一のｅＮＢで発生したＣＣが同一のカバレッジを提供する必要はない。
【００３９】
ＣＡが構成されれば、ＵＥはネットワークとの一つのＲＲＣ接続のみを有する。ＲＲＣ接続確立／再確立／ハンドオーバで、一つのサービングセルはＮＡＳモビリティ情報（例えば、ＴＡＩ（Tracking Area Identity）を提供し、ＲＲＣ接続再確立／ハンドオーバで、一つのサービングセルはセキュリティ入力（security input）を提供する。このようなセルをプライマリセル（ＰＣｅｌｌ；primary cell）という。ＤＬで、ＰＣｅｌｌに対応する搬送波はＤＬ ＰＣＣ（Primary Component Carrier）である一方、ＵＬではＵＬ ＰＣＣである。
【００４０】
ＵＥ能力によって、ＰＣｅｌｌと共にサービングセル集合を形成するようにＳＣｅｌｌ（secondary cell）が構成できる。ＤＬで、ＳＣｅｌｌに対応する搬送波はＤＬ ＳＣＣ（Secondary Component Carrier）である一方、ＵＬではＵＬ ＳＣＣである。
【００４１】
したがって、ＵＥに対して構成されたサービングセル集合は、常に一つのＰＣｅｌｌ及び一つ又は複数のＳＣｅｌｌで構成される。各々のＳＣｅｌｌに対し、ＤＬリソースに追加してＵＥによるＵＬリソースの使用が構成可能である（したがって、構成されたＤＬ ＳＣＣの数は常にＵＬ ＳＣＣの数より大きいか等しく、ＵＬリソースのみの使用のためにＳＣｅｌｌを構成できない）。ＵＥの観点で、各々のＵＬリソースは単に一つのサービングセルに属する。構成できるサービングセルの数はＵＥの集約能力に依存する。ＰＣｅｌｌはハンドオーバ手続（procedure）（即ち、セキュリティキー変更及びＲＡＣＨ手続）のみにより変更できる。ＰＣｅｌｌはＰＵＣＣＨの送信に使われる。ＳＣｅｌｌとは異なり、ＰＣｅｌｌは不活性化できない。再確立は、ＰＣｅｌｌがＲＬＦ（Radio Link Failure）を経験する（experiences）ときにトリガされ、ＳＣｅｌｌがＲＬＦを経験するときにはトリガされない。ＮＡＳ情報はＰＣｅｌｌから持ってくる。
【００４２】
ＳＣｅｌｌの再構成、追加、及び削除は、ＲＲＣにより実行できる。イントラＬＴＥ（ＬＴＥ内）（intra-LTE）ハンドオーバで、ＲＲＣはまた対象ＰＣｅｌｌと共に使用するためにＳＣｅｌｌを追加、削除、又は再構成することができる。新たなＳＣｅｌｌを追加する場合、ＳＣｅｌｌの全ての必要なシステム情報を送信するのに専用ＲＲＣシグナリングが使われ、即ち、接続モードの間、ＵＥは、ＳＣｅｌｌからブロードキャストされたシステム情報を直接獲得する必要がない。
【００４３】
ＬＴＥでアンライセンススペクトル／搬送波をサポートするために、多様な態様が論議された。全世界の一部地域で、アンライセンス技術は特定規制、例えば、ＬＢＴ（Listen-Before-Talk）を遵守する必要がある。ＬＴＥオペレータ間だけでなく、ＬＴＥとＷｉ−Ｆｉとのような異なる技術間の公正な（合理的な）共存（fair coexistence）が必要であると見られる。ＬＢＴがない国家でも、アンライセンススペクトルの他のユーザとの干渉を最小化するための規制要求事項（regulatory requirements）が存在する。しかしながら、規制面で単純に干渉を最小化するだけでは充分でない。配置されたシステムが既存システム（legacy system）に大きな影響を与えず、良き隣人として動作するように保証することがまた重要である。
【００４４】
したがって、異なる技術と共存し、規制要求事項を充足させながら、アンライセンススペクトルに対してライセンス帯域の補助によるアクセス（ＬＡＡ；Licensed-Assisted Access）を可能にしてＬＴＥを向上させる、グローバルな（全世界の）単一の解決法を決定する研究が必要である。このような向上した機能を見ると、現在のＬＴＥ物理層設計をできるだけ多くを再使用しなければならない。全体的（holistic）解決法が考慮されることを保証するには、装置内（in-device）、共同（同一）チャネル（co-channel）、及び隣接チャネル、イントラ及びインターＲＡＴ（ＲＡＴ内及びＲＡＴ間）共存シナリオ（coexistence scenarios）が研究に含まれなければならない。このような実現可能性の研究がアンライセンススペクトルに対するＬＡＡに対するＬＴＥ向上を評価するはずである。詳細な目標は、次の通りである。
【００４５】
（１）低電力ＳＣｅｌｌがアンライセンススペクトルで動作し、ＤＬ専用又はＵＬ及びＤＬを含み、ＰＣｅｌｌがライセンススペクトルで動作し、ＬＴＥ ＦＤＤ又はＬＴＥ ＴＤＤのうちの一つでありうる、ＬＴＥ ＣＡ構成及びアーキテクチャに重点をおいた、ＬＴＥ配置に対する評価方法論及び可能なシナリオが定義される。
【００４６】
（２）特に、アンライセンススペクトル配置に対する関連要求事項及び設計目標を文書化：
−５ＧＨｚ帯域でアンライセンススペクトル配置に対する関連した既存の規制要求事項を文書化
−ライセンススペクトル割り当てに対する続く（continued）重要性／必要性を強調しながらアンライセンススペクトルに対するＬＡＡを導入する文書考慮事項
−他の（other）アンライセンススペクトル配置との共存、例えば、Ｗｉ−Ｆｉ及び他のＬＡＡサービス面での公正性（fairness）のための設計目標を確認（識別）し（Identify）て定義する。これは、例えば、ＬＡＡが、同一の搬送波上で、Ｗｉ−Ｆｉサービスに対して、追加的なＷｉ−Ｆｉネットワークより大きな影響を及ぼしてはならない（LAA should not impact Wi-Fi services more than an additional Wi-Fi network on the same carrier）、などのような、関連した公正な共有測定項目（fair sharing metrics）に関して把握され（captured）なければならない。このような測定項目には、例えば、処理能力、遅延などが含まれることができる。また、さまざまな他の技術無線モデムを有するＬＡＡをサポートする装置に対する装置内の共存（ＩＤＣ；In-Device Coexistence）を把握しなければならず、ここで（この場合）、ＬＡＡ動作の間にＷｉ−Ｆｉネットワークを検出することが可能でなければならない。これは、同時の（concurrent）ＬＡＡ＋Ｗｉ−Ｆｉ受信／送信を意味するものではない。これは、また、他のＬＡＡオペレータとの同一チャネル共存（co-channel coexistence）とＬＡＡのような帯域の他の技術間の同一チャネル共存とを把握しなければならない（これは、また、異なるＬＡＡオペレータ間の同一チャネル共存と、ＬＡＡと同一帯域内の他の技術との間の同一チャネル共存と、を把握しなければならない）（This should also capture co-channel coexistence between different LAA operators and between LAA and other technologies in the same band）。
【００４７】
（３）アンライセンスバンド上での共存の側面を他のＬＴＥオペレータと一緒に解決する方法及び上記帯域の異なるタイプの使用に対する考慮を含んで（アンライセンスバンド上において他のＬＴＥオペレータ及び該帯域の他の典型的な使用と共存する側面に対処する方法を考慮して）（including consideration of the methods to address the co-existence aspects on unlicensed bands with other LTE operators and other typical use of the band）、以前の項目（bullet）で確認されたアンライセンススペクトル配置に関する要求事項及び目標を満たす（達成する）（meet）ためにＬＴＥの物理層オプション及び拡張（向上）（enhancements）を確認し評価する。
【００４８】
（４）シナリオ及び要求事項に対するアンライセンススペクトル配置をサポートするために、ＬＴＥ ＲＡＮ（Radio Access Network）プロトコルに対して必要な要求事項の必要性を確認し、必要によってこれを評価する。
【００４９】
（５）関連したライセンス周波数帯域と関連した５ＧＨｚ帯域の基地局及び端末動作の実現可能性を評価する。
【００５０】
確認された拡張（向上）は、できる限りＬＴＥの機能を再使用しなければならない。このような研究は複数のオペレータが同一のアンライセンススペクトル帯域にＬＴＥを配置する場合を含み、単一及び複数の（多重−）（multi-）オペレータのシナリオの両方を含む。高い優先順位は、ＤＬ専用シナリオの完了（completion）に関するものでなければならない（ＤＬ専用シナリオの完成の優先順位を高くすべきである）（High priority should be on the completion of the DL only scenario）。ＬＴＥ ＣＡで、ＵＥは現在ＳＣｅｌｌ上でブロードキャストされたシステム情報を受信することになっていないし、このような仮定はアンライセンススペクトルに対して維持できる。
【００５１】
図６は、ＬＡＡに対する配置シナリオの例を図示する。図６を参照すると、マクロセルは、周波数Ｆ１のライセンスキャリア（免許搬送波）上でリソースを使用する。複数の（多重）（Multiple）スモールセル（小型セル）は、周波数Ｆ３のアンライセンスキャリア（無免許搬送波）上でリソースを使用する。マクロセルと複数のスモールセルとは理想的なバックホール（ideal backhaul）を通じて接続される。マクロセルと複数のスモールセルとはノンコロケーション（非−共通配置）形態である（non-collocated）。
【００５２】
図７は、ＬＡＡに対する配置シナリオの他の例を図示する。図７を参照すると、第１集合のスモールセル（小型セル）は、周波数Ｆ２のライセンスキャリア（免許搬送波）上でリソースを使用する。第２集合のスモールセルは周波数Ｆ３のアンライセンスキャリア（無免許搬送波）上でリソースを使用する。第１集合のスモールセルと第２集合のスモールセルとは理想的なバックホールを通じて接続される。第１集合のスモールセルと第２集合のスモールセルとはコロケーション（共通配置）形態である（collocated）。
【００５３】
図８は、ＬＡＡに対する配置シナリオの他の例を図示する。図８を参照すると、マクロセルは、周波数Ｆ１のライセンスキャリア（免許搬送波）上でリソースを使用する。第１集合のスモールセル（小型セル）は周波数Ｆ１のライセンスキャリア上でリソースを使用する。マクロセルと第１集合のスモールセルとは理想的又は非理想的なバックホールを通じて接続される。また、第２集合のスモールセルは周波数Ｆ３のアンライセンスキャリア（無免許搬送波）上でリソースを使用する。第１集合のスモールセルと第２集合のスモールセルとは、理想的なバックホールを通じて接続される。第１集合のスモールセルと第２集合のスモールセルとはコロケーション（共通配置）形態である。
【００５４】
図９は、ＬＡＡに対する配置シナリオの他の例を図示する。図９を参照すると、マクロセルは周波数Ｆ１のライセンスキャリア（免許搬送波）上でリソースを使用する。第１集合のスモールセル（小型セル）は周波数Ｆ２のライセンスキャリア上でリソースを使用する。マクロセルと第１集合のスモールセルとは理想的又は非理想的なバックホールを通じて接続される。また、第２集合のスモールセルは周波数Ｆ３のアンライセンスキャリア（無免許搬送波）上でリソースを使用する。第１集合のスモールセルと第２集合のスモールセルとは理想的なバックホールを通じて接続される。第１集合のスモールセルと第２集合のスモールセルとはコロケーション（共通配置）形態である。
【００５５】
評価のために、効果的な仮定として、次の配置シナリオが考慮できる。
【００５６】
（１）３つの共存シナリオが評価されなければならない。
【００５７】
−共存シナリオａ：オペレータ＃１はＷｉ−Ｆｉを配置し、オペレータ＃２はＷｉ−Ｆｉを配置する。
【００５８】
−共存シナリオｂ：オペレータ＃１はＬＡＡを配置し、オペレータ＃２はＬＡＡを配置する。
【００５９】
−共存シナリオｃ：オペレータ＃１はＷｉ−Ｆｉを配置し、オペレータ＃２はＬＡＡを配置する。
【００６０】
（２）室外及び室内配置がこのようなシナリオにおいて考慮されなければならない。
【００６１】
（３）単一及び複数のアンライセンスチャネルを有する共存シナリオが評価されなければならない。
【００６２】
（４）異なるＬＡＡオペレータ間の非同期が基本前提である。異なるＬＡＡオペレータ間の同期がまた評価できる。
【００６３】
ＵＥは、アンライセンススペクトルの搬送波又はライセンススペクトルの搬送波上で、ＵＬにおけるデータを送信するか、又は、ＤＬにおけるデータを受信することができる。アンライセンスキャリア上のＤＬ受信及びＵＬ送信はコンテンション（contention）の対象になることができる。即ち、ＤＬ受信又はＵＬ送信の量が多い場合、アンライセンスキャリア上でＤＬ受信又はＵＬ送信の一部のみを実行できる。したがって、アンライセンスキャリア上でのＤＬ受信及びＵＬ送信はベアラサービスの一部を保証しないこともある。
【００６４】
以上で説明した問題点を解決するために、本発明の一実施形態に従うアンライセンスキャリアに対する無線ベアラタイプ又は論理チャネルを構成する方法を説明する。以下、Ｌ−セルはライセンスキャリア上でリソースを使用するセルを意味し、Ｕ−セルはアンライセンスキャリア上でリソースを使用するセルを意味する。
【００６５】
図１０は、Ｌ−セル及びＵ−セルの配置のためのシナリオの例を図示する。図１０を参照すると、ＵＥは、ＰＣｅｌｌ又はプライマリセカンダリセル（ＰＳＣｅｌｌ；Primary SCell（Secondary Cell）））としてＬ−セルに接続される。ＵＥは、Ｌ−周波数（ライセンススペクトルの周波数）上の一つ又は複数のＬ−セル及びＵ−周波数（アンライセンススペクトルの周波数）上の一つ又は複数のＵ−セルで構成できる。同一のｅＮＢがＬ−セル及びＵ−セルの両方を制御できるか、又は異なるｅＮＢがＬ−セル及びＵ−セルを各々制御することができる。即ち、Ｌ−セル及びＵ−セルは、一つのｅＮＢ又は異なるｅＮＢに属することができる。互いに異なるｅＮＢがＬ−セル及びＵ−セルを制御する場合、X３インターフェースと呼ばれることができるインターｅＮＢ（ｅＮＢ間）（Inter-eNB）インターフェースが定義できる。
【００６６】
本発明の一実施形態によれば、ＵＥは、上記第１セルを制御するｅＮＢから構成を受信することができる。構成を受信すれば、ＵＥは、第１セル（例えば、ＰＣｅｌｌ又はスケジューリングセル）をライセンスキャリア上のサービングセルで構成し、第２セル（例えば、ＳＣｅｌｌ又はスケジューリングされたセル）をアンライセンスキャリア上のサービングセルとして構成する。第１セルは、ＰＣｅｌｌ、ＰＳＣｅｌｌ、アンライセンスキャリア上のサービングセルに対してクロスキャリア（交差搬送波）スケジューリング（cross carrier scheduling）を実行するスケジューリングセルのうちの一つでありうる。第２セルは、スケジューリングセルが送信又は受信をスケジューリングするスケジューリングされたセルでありうる。ＵＥは、ライセンスキャリアに関するセルのための第１のＭＡＣエンティティ及びアンライセンスキャリアに関するセルのための第２のＭＡＣエンティティを構成することができる。即ち、ＵＥは、第１セルのための第１のＭＡＣエンティティ及び第２セルのための第２のＭＡＣエンティティを構成することができる。
【００６７】
本発明の一実施形態によれば、ＵＥは、第１セルを制御するｅＮＢから構成を受信することができる。構成を受信すれば、ＵＥは、第１セル（即ち、ライセンスキャリアのみ）に対する第１タイプの無線ベアラ／論理チャネル及び第１セル及び第２セルの両方（即ち、ライセンスキャリア及びアンライセンスキャリアの両方）に対する第２タイプの無線ベアラ／論理チャネルを構成する。第１タイプの無線ベアラ／論理チャネルは遅延検出（感知、敏感）（delay-sensitive）トラフィックを運ぶことができる一方、第２タイプの無線ベアラ／論理チャネルは遅延不検出（無感知、非敏感）（delay-insensitive）トラフィックを運ぶことができる。シグナリング無線ベアラ（ＳＲＢ；Signaling Radio Bearer）は、第１タイプの無線ベアラ／論理チャネルに属することができるが、第２タイプの無線ベアラ／論理チャネルに属しないことがある。第１タイプの論理チャネル及び第２タイプの論理チャネルは、同一の論理チャネルグループに属しないことがある。即ち、第１タイプの無線ベアラ／論理チャネルは、ライセンスキャリアに関するセルのみに対して構成できる一方、第２タイプの無線ベアラ／論理チャネルは、アンライセンスキャリアに関するセル及びライセンスキャリアに関するセルの両方に対して構成できる。
【００６８】
また、第１タイプの無線ベアラ／論理チャネルのＲＬＣエンティティは、ライセンスキャリアに関するセルと関連した一つのＭＡＣエンティティのみのために構成できる一方、第２タイプの無線ベアラ／論理チャネルのＲＬＣエンティティは、両方のＭＡＣエンティティ（即ち、ライセンスキャリアに関するセルと関連した一つのＭＡＣエンティティ及びアンライセンスキャリアに関するセルと関連した一つのＭＡＣエンティティ）のために構成できる。
【００６９】
図１１は、本発明の一実施形態によって無線ベアラを構成する方法の一例を示す。ステップＳ１００で、ＵＥは、第１セルを制御するｅＮＢから構成を受信する。ステップＳ１１０で、ＵＥは、第１セルのみのための第１タイプ（類型）の無線ベアラ／論理チャネルを構成する。ステップＳ１２０で、ＵＥは、第１セル及び第２セルの両方に対する第２タイプの無線ベアラ／論理チャネルを構成する。第１セルはライセンスキャリア上でリソースを使用するセルであり、第２セルはアンライセンスキャリア上でリソースを使用するセルでありうる。第１タイプの無線ベアラは遅延検出トラフィックを運ぶことができ、第２タイプの無線ベアラは遅延不検出トラフィックを運ぶことができる。ＳＲＢは、第１タイプの無線ベアラのみに属することができる。第１タイプの無線ベアラの第１論理チャネル及び第２タイプの無線ベアラの第２論理チャネルは、異なる論理チャネルグループに属することができる。第１セルはＰＣｅｌｌ又はＰＳＣｅｌｌでありうる。第２セルはｅＮＢにより、又はｅＮＢとは異なる第２ｅＮＢにより制御できる。
【００７０】
図１２は、本発明の一実施形態によってＲＬＣエンティティを構成する方法の一例を示す。ステップＳ２００で、ＵＥは、ライセンスキャリア（免許搬送波）に関するセルと関連したＭＡＣエンティティ（個体）のみのための第１のＲＬＣエンティティを構成する。ステップＳ２１０で、ＵＥは、ライセンスキャリアに関するセル及びアンライセンスキャリア（無免許搬送波）に関するセル（の両方）と関連したＭＡＣエンティティ全てのための第２のＲＬＣエンティティを構成する。第１のＲＬＣエンティティは、ライセンスキャリアのみに関するセルのための第１タイプの無線ベアラに対応することができる。第１タイプの無線ベアラは遅延検出トラフィックを運ぶことができる。第２のＲＬＣエンティティは、ライセンスキャリアに関するセルとアンライセンスキャリアに関するセルの両方のための第２タイプの無線ベアラに対応することができる。第２タイプの無線ベアラは遅延不検出トラフィックを運ぶことができる。
【００７１】
図１３は、本発明の実施形態が具現される無線通信システムを示す。
【００７２】
ｅＮＢ ８００は、プロセッサ（processor）８１０、メモリ（memory）８２０、及び送受信部（transceiver）８３０を含むことができる。プロセッサ８１０は、本明細書で説明された機能、手続（過程）（procedure）及び／又は方法を具現するように構成できる。無線インターフェースプロトコルの階層は、プロセッサ８１０により具現できる。メモリ８２０は、プロセッサ８１０と接続されて、プロセッサ８１０を駆動するための多様な情報を記憶する。送受信部８３０は、プロセッサ８１０と接続されて、無線信号を送信及び／又は受信する。
【００７３】
端末９００は、プロセッサ９１０、メモリ９２０、及び送受信部９３０を含むことができる。プロセッサ９１０は、本明細書で説明された機能、手続及び／又は方法を具現するように構成できる。無線インターフェースプロトコルの階層はプロセッサ９１０により具現できる。メモリ９２０は、プロセッサ９１０と接続されて、プロセッサ９１０を駆動するための多様な情報を記憶する。送受信部９３０は、プロセッサ９１０と接続されて、無線信号を送信及び／又は受信する。
【００７４】
プロセッサ８１０、９１０は、ＡＳＩＣ（Application-Specific Integrated Circuit）、他のチップセット、論理回路及び／又はデータ処理装置を含むことができる。メモリ８２０、９２０は、ＲＯＭ（Read-Only Memory）、ＲＡＭ（Random Access Memory）、フラッシュメモリ、メモリカード、記憶媒体、及び／又は他の記憶装置を含むことができる。送受信部８３０、９３０は、無線周波数信号を処理するためのベースバンド回路を含むことができる。実施形態がソフトウェアで具現されるとき、前述した技法（techniques）は、前述した機能を実行するモジュール（手続、機能など）で具現できる。モジュールは、メモリ８２０、９２０に記憶され、プロセッサ８１０、９１０により実行できる。メモリ８２０、９２０は、プロセッサ８１０、９１０の内部又は外部に実装される（implemented）ことができ、よく知られた多様な手段によりプロセッサ８１０、９１０と接続できる。
【００７５】
前述した例示的なシステムにおいて、前述した本発明の特徴によって具現されることができる方法は、流れ図に基づいて説明された。便宜上、方法は、一連のステップ又はブロックで説明したが、請求された本発明の特徴は、ステップ又はブロックの順序に限定されるものではなく、あるステップは、他のステップと、前述と異なる順序で又は同時に発生できる。また、当業者であれば、流れ図に示すステップが排他的でなく、他のステップが含まれ、又は流れ図の１つ又は複数のステップが本発明の範囲に影響を及ぼさずに削除可能であることを理解することができる。
【図１】
2019062567.tif 000003
【図２】
2019062567.tif 000004
【図３】
2019062567.tif 000005
【図４】
2019062567.tif 000006
【図５】
2019062567.tif 000007
【図６】
2019062567.tif 000008
【図７】
2019062567.tif 000009
【図８】
2019062567.tif 000010
【図９】
2019062567.tif 000011
【図１０】
2019062567.tif 000012
【図１１】
2019062567.tif 000013
【図１２】
2019062567.tif 000014
【図１３】
2019062567.tif 000015
【手続補正書】
【提出日】平成30年12月13日(2018.12.13)
【手続補正１】
【補正対象書類名】明細書
【補正対象項目名】００６７
【補正方法】変更
【補正の内容】
【００６７】
本発明の一実施形態によれば、ＵＥは、第１セルを制御するｅＮＢから構成を受信することができる。構成を受信すれば、ＵＥは、第１セル（即ち、ライセンスキャリアのみ）に対する第１タイプの無線ベアラ／論理チャネル及び第１セル及び第２セルの両方（即ち、ライセンスキャリア及びアンライセンスキャリアの両方）に対する第２タイプの無線ベアラ／論理チャネルを構成する。第１タイプの無線ベアラ／論理チャネルは遅延センシティブ（感知、敏感）（delay-sensitive）トラフィックを運ぶことができる一方、第２タイプの無線ベアラ／論理チャネルは遅延非センシティブ（無感知、非敏感）（delay-insensitive）トラフィックを運ぶことができる。シグナリング無線ベアラ（ＳＲＢ；Signaling Radio Bearer）は、第１タイプの無線ベアラ／論理チャネルに属することができるが、第２タイプの無線ベアラ／論理チャネルに属しないことがある。第１タイプの論理チャネル及び第２タイプの論理チャネルは、同一の論理チャネルグループに属しないことがある。即ち、第１タイプの無線ベアラ／論理チャネルは、ライセンスキャリアに関するセルのみに対して構成できる一方、第２タイプの無線ベアラ／論理チャネルは、アンライセンスキャリアに関するセル及びライセンスキャリアに関するセルの両方に対して構成できる。
【手続補正２】
【補正対象書類名】明細書
【補正対象項目名】００６９
【補正方法】変更
【補正の内容】
【００６９】
図１１は、本発明の一実施形態によって無線ベアラを構成する方法の一例を示す。ステップＳ１００で、ＵＥは、第１セルを制御するｅＮＢから構成を受信する。ステップＳ１１０で、ＵＥは、第１セルのみのための第１タイプ（類型）の無線ベアラ／論理チャネルを構成する。ステップＳ１２０で、ＵＥは、第１セル及び第２セルの両方に対する第２タイプの無線ベアラ／論理チャネルを構成する。第１セルはライセンスキャリア上でリソースを使用するセルであり、第２セルはアンライセンスキャリア上でリソースを使用するセルでありうる。第１タイプの無線ベアラは遅延センシティブトラフィックを運ぶことができ、第２タイプの無線ベアラは遅延非センシティブトラフィックを運ぶことができる。ＳＲＢは、第１タイプの無線ベアラのみに属することができる。第１タイプの無線ベアラの第１論理チャネル及び第２タイプの無線ベアラの第２論理チャネルは、異なる論理チャネルグループに属することができる。第１セルはＰＣｅｌｌ又はＰＳＣｅｌｌでありうる。第２セルはｅＮＢにより、又はｅＮＢとは異なる第２ｅＮＢにより制御できる。
【手続補正３】
【補正対象書類名】明細書
【補正対象項目名】００７０
【補正方法】変更
【補正の内容】
【００７０】
図１２は、本発明の一実施形態によってＲＬＣエンティティを構成する方法の一例を示す。ステップＳ２００で、ＵＥは、ライセンスキャリア（免許搬送波）に関するセルと関連したＭＡＣエンティティ（個体）のみのための第１のＲＬＣエンティティを構成する。ステップＳ２１０で、ＵＥは、ライセンスキャリアに関するセル及びアンライセンスキャリア（無免許搬送波）に関するセル（の両方）と関連したＭＡＣエンティティ全てのための第２のＲＬＣエンティティを構成する。第１のＲＬＣエンティティは、ライセンスキャリアのみに関するセルのための第１タイプの無線ベアラに対応することができる。第１タイプの無線ベアラは遅延センシティブトラフィックを運ぶことができる。第２のＲＬＣエンティティは、ライセンスキャリアに関するセルとアンライセンスキャリアに関するセルの両方のための第２タイプの無線ベアラに対応することができる。第２タイプの無線ベアラは遅延非センシティブトラフィックを運ぶことができる。
【手続補正４】
【補正対象書類名】特許請求の範囲
【補正対象項目名】全文
【補正方法】変更
【補正の内容】
【特許請求の範囲】
【請求項１】
無線通信システムにおける端末（ＵＥ）であって、
メモリと、
送受信部と、
前記メモリ及び前記送受信部と接続されるプロセッサと、を有し、
前記プロセッサは、
発展型ノードＢ（ｅＮＢ）からどの論理チャネルがライセンスキャリア上の第１セルのみを介して送信されることができるかに関する情報を有する構成メッセージを受信するように前記送受信部を制御し、
前記構成メッセージによって、前記ライセンスキャリア上の第１セルのみを介して送信されることができる第１タイプの論理チャネルと、前記ライセンスキャリア上の第１セル及びアンライセンスキャリア上の第２セルの両方を介して送信されることができる第２タイプの論理チャネルと、を構成する、端末。
【請求項２】
前記第１タイプの論理チャネルを前記ライセンスキャリア上の第１セルのみを介して前記ｅＮＢに送信する、ことをさらに有する、請求項１に記載の端末。
【請求項３】
前記第２タイプの論理チャネルを前記ライセンスキャリア上の第１セル又は前記アンライセンスキャリア上の第２セルのうちの少なくとも１つを介して前記ｅＮＢに送信する、ことをさらに有する、請求項１又は２に記載の端末。
【請求項４】
前記第２タイプの論理チャネルは、前記ライセンスキャリア上の第１セルを介して送信される、請求項３に記載の端末。
【請求項５】
前記第１タイプの論理チャネルは、遅延センシティブトラフィックを搬送する、請求項１〜４のいずれか一項に記載の端末。
【請求項６】
前記第２タイプの論理チャネルは、遅延非センシティブトラフィックを搬送する、請求項１〜５のいずれか一項に記載の端末。
【請求項７】
シグナリング無線ベアラ（ＳＲＢ）は、前記第１タイプの論理チャネルのみに属する、請求項１〜６のいずれか一項に記載の端末。
【請求項８】
前記第１タイプの論理チャネルと前記第２タイプの論理チャネルとは、異なる論理チャネルグループに属する、請求項１〜７のいずれか一項に記載の端末。
【請求項９】
前記ライセンスキャリア上の第１セルは、前記アンライセンスキャリア上の第２セルに対してクロスキャリアスケジューリングを実行するプライマリセル（ＰＣｅｌｌ）又はプライマリセカンダリセル（ＰＳＣｅｌｌ）に対応する、請求項１〜８のいずれか一項に記載の端末。
【請求項１０】
前記ライセンスキャリア上の第１セルは、前記ｅＮＢにより制御される、請求項１〜９のいずれか一項に記載の端末。
【請求項１１】
前記アンライセンスキャリア上の第２セルは、前記ｅＮＢにより制御される、請求項１〜１０のいずれか一項に記載の端末。
【請求項１２】
前記アンライセンスキャリア上の第２セルは、前記ｅＮＢと異なる第２のｅＮＢにより制御される、請求項１〜１１のいずれか一項に記載の端末。
【請求項１３】
前記第１タイプの論理チャネルに対応する無線リンク制御（ＲＬＣ）エンティティは、前記ライセンスキャリア上の第１セルと関連した一つのメディアアクセス制御（ＭＡＣ）エンティティのみのために構成される、請求項１〜１２のいずれか一項に記載の端末。
【請求項１４】
前記第２タイプの論理チャネルに対応するＲＬＣエンティティは、前記ライセンスキャリア上の第１セルと関連した第１のＭＡＣエンティティ及び前記アンライセンスキャリア上の第２セルと関連した第２のＭＡＣエンティティの両方のために構成される、請求項１〜１３のいずれか一項に記載の端末。